(57)【要約】      （修正有）【課題】箱本体の内部上部に保冷体を収納するスペースを設けた紙箱であって、上方からの圧力に対しても強固に保持でき、また、収納物の箱本体に対する収納の邪魔にならず、かつ箱内の保冷効果が高い紙箱を提供する。【解決手段】上面に開口部を有する箱本体１と、箱本体１の開口部に被せる蓋体２とから成る紙箱において、箱本体１の開口部の下に、開口部の少なくとも前後方向の幅をほぼ有する中蓋７を設け、中蓋７の相対向する外縁から下方に向いた支持体８を設け、各支持体８は箱本体１の相対向する各側板３の内面に当接させ、その下端を箱本体１の底板に当接させて中蓋７をほぼ水平に支持し、中蓋７と箱本体１に被せる蓋体２との間に、保冷体収納スペースを設けた。【選択図】図５
0003138548.tif 000002
【実用新案登録請求の範囲】
【請求項１】
上面に開口部を有する箱本体と、当該箱本体の開口部に被せる蓋体とから成る紙箱において、
前記箱本体の開口部の下方に、当該開口部の少なくとも前後方向の幅をほぼ有する中蓋を設け、当該中蓋の相対向する外縁から下方に向いた支持体を設け、当該各支持体は前記箱本体の相対向する各側板の内面に当接させ、その下端を箱本体の底板に当接させて前記中蓋をほぼ水平に支持し、
前記中蓋と箱本体に被せる蓋体との間に、保冷体収納スペースを設けたことを特徴とする、保冷体収納スペース付紙箱。
【請求項２】
前記中蓋に一個又は複数の透孔を設けたことを特徴とする、請求項１に記載の保冷体収納スペース付紙箱。
【請求項３】
前記中蓋の左右両側と相応する箱本体の相対向する側板との間に、前記保冷体が落ちない程度に間隙を設けたことを特徴とする、請求項１又２に記載の保冷体収納スペース付紙箱。
【請求項４】
前記中蓋の支持体は、中蓋の相対向する外縁の一部から下方に垂下していることを特徴とする、請求項１、２又は３に記載の保冷体収納スペース付紙箱。
【請求項５】
前記箱本体の側板の上縁に前記蓋体が一体に設けられていることを特徴とする、請求項１、２、３又は４のいずれかに記載の保冷体収納スペース付紙箱。
【請求項６】
前記箱本体と前記蓋体とは分離されていることを特徴とする、請求項１、２、３又は４のいずれかに記載の保冷体収納スペース付紙箱。
【考案の詳細な説明】
【技術分野】
【０００１】
この考案は、洋菓子店等において、菓子やその他の食品等の持ち運びに使用される紙箱に関するものであって、特に、当該紙箱内部の温度の上昇を防ぐ保冷体を収納するスペースを設けた保冷体収納スペース付紙箱に関するものである。
【背景技術】
【０００２】
従来、洋菓子店において、ケーキ等の生菓子を販売する際、持ち運びに便利な紙箱を使用している。この様な紙箱においては気温が上がる夏場はもちろん、昨今では、冬であっても、多くの場所で暖房が行われているため、生ものであるケーキ等の生菓子が傷まないように、当該紙箱内に保冷体を収納するスペースを設け、当該スペースに保冷体を入れて、当該紙箱内の温度が上昇するのを防ぐようにしている。
【０００３】
前記保冷体の収納スペースは収納物に邪魔にならず、かつ保冷体が前記スペースから逸脱しないようにしなければならない。また、冷気は下方に行くため、紙箱の上部に設けたほうが効率が良い。
【０００４】
この様な紙箱として、後側板の上端縁に折り目を介して開閉自在な天板を設け、前側板の上端縁に折り目を介して内側天板を設け、当該内側天板を紙箱の開口部方向に折り込んで当該開口部両端の左右側板の上部にある折り込み片で支持して当該開口部を塞ぎ、当該内側天板上に保冷体を載置し、その後、前記天板を折り込んで当該紙箱を閉じるというものがある。
【特許文献１】特開２００７−１８６２１８号公報
【考案の開示】
【考案が解決しようとする課題】
【０００５】
しかしながら、前記紙蓋では、天板及び内側天板をもっぱら左右の側板で支持しているため、紙箱の中央などに上方から圧力がかかった場合、前記天板及び内側天板の該当する箇所は凹んでしまい、場合によっては、これらの天板等が開放してしまうことがあり、そうなると紙箱内の冷気が外部に逃げてしまい、保冷体を入れたとしても用をなさない。
【０００６】
この考案は、この様な状況に鑑みてなされたもので、箱本体の内部上部に保冷体を収納するスペースを設けた紙箱であって、上方からの圧力に対しても強固に保持でき、また、収納物の箱本体に対する収納の邪魔にならず、かつ箱内の保冷効果の高い保冷体収納スペース付紙箱を提供して前記課題を解決するものである。
【課題を解決するための手段】
【０００７】
そこで、請求項１の考案は、上面に開口部を有する箱本体と、当該箱本体の開口部に被せる蓋体とから成る紙箱において、前記箱本体の開口部の下に、当該開口部の少なくとも前後方向の幅をほぼ有する中蓋を設け、当該中蓋の相対向する外縁から下方に向いた支持体を設け、当該各支持体は前記箱本体の相対向する各側板の内面に当接させ、その下端を箱本体の底板に当接させて前記中蓋をほぼ水平に支持し、前記中蓋と箱本体に被せる蓋体との間に保冷体収納スペースを設けた、紙箱とした。
【０００８】
請求項２の考案は、請求項１の考案において、前記中蓋に一個又は複数の透孔を設けた紙箱とした。
【０００９】
また、請求項３の考案は、請求項１又は２の考案において、前記中蓋の左右両側と相応する箱本体の相対向する側板との間に、前記保冷体が落ちない程度に間隙を設けた紙箱とした。
【００１０】
また、請求項４の考案は、請求項１、２又は３の考案において、前記中蓋の支持体は、中蓋の相対向する外縁の一部から下方に垂下している、紙箱とした。
【００１１】
また、請求項５の考案は、請求項１、２、３又は４のいずれかに記載の考案において、前記箱本体の側板の上縁に前記蓋体が一体に設けられている紙箱とした。
【００１２】
また、請求項６の考案は、請求項１、２、３又は４のいずれかに記載の考案において、前記箱本体と前記蓋体とは分離されている紙箱とした。
【考案の効果】
【００１３】
請求項１〜６の考案によれば、箱本体の内部の収納部の上に、テーブル形状の、両側に支持体を有する中蓋を設け、この中蓋と蓋体との間に、保冷体収納スペースを設けたので、蓋体は箱本体の４つの側板の上端縁に強固に支持され、むやみにつぶれる恐れがない。また、両側に支持体を有する中蓋は箱本体内に挿入し、各支持体の下端を箱本体の底板に当接するだけで保冷体収納スペースが出来上がり極めて容易に組み立てることが出来る。また、取外しも容易であり、箱本体への収納物の出し入れに支障をきたさない。また、箱本体の側板の内側面に沿って中蓋の支持体を立てるため、箱本体内の収納物の収納に邪魔にならない。また、保冷体は箱本体の上部に位置するため、冷気は箱本体内の下部に降りていき収納物の冷却効率が高い。しかも、中蓋はほぼ箱本体の開口部下を塞ぐため、保冷体はむやみに保冷体収納スペースから外れない。
【００１４】
また、請求項２の考案は、前記中蓋に一個又は複数個の透孔を設けているため、当該保冷体収納スペースに保冷体を収納した際、保冷体の露出度が増し、保冷効果が上がる。
【００１５】
また、請求項３の考案は、前記中蓋の左右両側と相応する箱本体の相対向する側板との間に、前記保冷体が落ちない程度に間隙を設けたので、当該保冷体収納スペースに保冷体を収納した際、保冷体の露出度がさらに増し、保冷効果が上がる。
【００１６】
また、請求項４の考案は、前記中蓋の支持体は、中蓋の相対向する外縁の一部から下方に垂下しているため、紙等の材料の消費を少なくすることが出来、また、箱本体内での占有面積を小さくすることが出来る。
【考案を実施するための最良の形態】
【００１７】
この考案は、上面に開口部を有する箱本体と、当該箱本体の開口部に被せる蓋体とから成る紙箱において、前記箱本体の開口部の下方に、当該開口部の少なくとも前後方向の幅をほぼ有する中蓋を設け、当該中蓋の相対向する外縁から下方に向いた支持体を設け、当該各支持体は前記箱本体の相対向する各側板の内面に当接させ、その下端を箱本体の底板に当接させて前記中蓋をほぼ水平に支持し、前記中蓋と箱本体に被せる蓋体との間に、保冷体収納スペースを設けたので、極めて効率の良い保冷効果を有する保冷体収納スペース付紙箱を容易に組み立てられる。
【実施例１】
【００１８】
以下、この考案の実施例を図に基づいて説明する。
図１はこの考案の紙箱の蓋体を開けた状態の斜視図、図２はこの考案の紙箱の蓋体を閉めた状態の斜視図である。
【００１９】
この考案の紙箱Ａは、上面に開口部を有する、直方体形状の箱本体１の後側板の上縁から蓋体２を一体に設け、当該蓋体２を前記開口部に被せる紙箱としている。また、前記箱本体の開口部の各側板３の上縁には、折り目を介して折り込み片４が夫々設けられている。また、前記蓋体２の前端縁には係止片５を折り目を介して設け、この係止片５の下端縁に係止舌片５ａを設け、この係止舌片５ａは箱本体１の前側板３の下端に設けた係止切り込み６に挿入、係止自在となっている。また、前記箱本体１の内部には、箱本体１の開口部の下方をほぼ塞ぐ中蓋７が設けられている。
【００２０】
図３は前記箱本体１の斜視図、図４は前記中蓋７の斜視図、図５はこの考案の縦断面図である。
【００２１】
図４に示すように、前記中蓋７は、相対向する外縁から、折り目を介して支持体８、８を設けており、また、中蓋７には、透孔９が設けられている。そして、当該中蓋７を前記箱本体１の内部に挿入し、各支持体８の下端を箱本体１の底板上に当接させる。その際、前記各支持体８は箱本体１の側板３の内側面に当接しながら挿入される。これにより図５に示すように、前記中蓋７と、蓋体２との間に保冷体収納スペースが形成される。この保冷体収納スペースの中蓋７の上に保冷体Ｂを載置する。
【００２２】
この実施例１の場合、図５に示すように、保冷体収納スペースに収納した保冷体Ｂは、中蓋７の透孔９や、中蓋７の左右両側と相応する箱本体１の相対向した側板との間に、前記保冷体Ｂが落ちない程度に間隙を設けている場合はその間隙を通して冷気が箱本体１内の下部におり、収納物を冷却する。
【００２３】
また、図５に示すように、蓋体２は、箱本体１の各側板３に強固に支持され、外方からの荷重にも耐えられる。また、中蓋７は両側に脚体となる支持体８を有するため、ほぼテーブル形状を成し、また、中蓋７の前後幅は、箱本体１の前後側板３との間隔とほぼ同一としているため、中蓋７は箱本体１内で前後に動かず保冷体Ｂは安定して保持される。この箱本体１に収納物を収納する際は、当該中蓋７を取り外せばよい。また、保冷体Ｂは紙箱Ａの上部に位置し、収納物の収納に邪魔にならない位置にある。
【実施例２】
【００２４】
図６及び図７はこの考案の実施例２を示す。図６はこの考案の箱本体と蓋体の分解斜視図、図７はこの考案の紙箱の縦断面図である。
【００２５】
この考案の紙箱Ｃは、上面に開口部を有する、直方体形状の箱本体１１と、前記開口部に被せる蓋体１２とが分離した紙箱から構成されている。前記箱本体１１の内部に、前記実施例１と同様な中蓋１７を挿入する。これにより、蓋体１２と中蓋１７との間に保冷体収納スペースを形成したものである。
【００２６】
この実施例２の場合も、図７に示すように、保冷体収納スペースに収納した保冷体Ｂは、中蓋１７の透孔１８や、中蓋１７の左右両側と相応する箱本体１１の相対向した側板との間に、前記保冷体Ｂが落ちない程度に間隙を設けている場合はその間隙を通して冷気が箱本体１１内の下部におり、収納物を冷却する。
【００２７】
前記実施例では中蓋７又は１７に透孔９又は１９をもうけているが、これらの透孔９又は１９は設けない場合もある。また、複数個設ける場合もある。また、この考案の箱本体及び蓋体は平面四角形に限らず、平面多角形、円形でも使用できる。
【図面の簡単な説明】
【００２８】
【図１】この考案の実施例１の蓋体を開けた状態の紙箱の斜視図である。
【図２】この発明の実施例１の蓋体を閉じた状態の紙箱の斜視図である。
【図３】この考案の実施例1の中蓋を取った紙箱の、蓋体を開けた状態の斜視図である。
【図４】この考案の実施例１の中蓋の斜視図である。
【図５】この考案の実施例１の紙箱の縦断面図である。
【図６】この考案の実施例２の紙箱の箱本体と蓋体の分解斜視図である。
【図７】この考案の実施例２の紙箱の縦断面図である。
【符号の説明】
【００２９】
Ａ      紙箱                    Ｂ      保冷体
Ｃ      紙箱
１      箱本体                    ２      蓋体
３      側板                      ４      折り込み片
５      係止片                    ５ａ    係止舌片
６      係止切り込み              ７      中蓋
８      支持体                    ９      透孔
１１      箱本体                  １２      蓋体  
１３      側板                    １７      中蓋
１８      支持体                  １９      透孔
【図１】
0003138548.tif 000003
【図２】
0003138548.tif 000004
【図３】
0003138548.tif 000005
【図４】
0003138548.tif 000006
【図５】
0003138548.tif 000007
【図６】
0003138548.tif 000008
【図７】
0003138548.tif 000009